(57)【特許請求の範囲】
【請求項１】
アンテナ装置において、
アンテナパターンと、前記アンテナパターンの両端とシステムグラウンドの間にそれぞれ接続される第１電気回路及び第２電気回路と、
前記アンテナパターンと給電線の間に位置される第３電気回路から構成され、
前記第１電気回路、
第２電気回路及び第３電気回路により前記アンテナパターンの電気的な波長を調節し、
前記アンテナパターンの一端はＰＣＢの第１パッドを通じて前記第１電気回路に接続され、
前記アンテナパターンの他端は、ＰＣＢの第２パッドを通じて、前記システムグラウンドと接続されるインダクターから構成される前記第２電気回路、及び、前記給電線に接続される前記第３電気回路に接続され、
基地局からＲＦパラメーターを受信し、前記基地局から受信される信号を用いて前記アンテナ装置の前記第１電気回路、前記第２電気回路及び前記第３電気回路のうちの少なくとも一つの電気回路の素子値を変更して共振周波数を調整することを特徴とする装置。
【請求項２】
前記給電線を基準とし、前記アンテナパターンが非対称で形成することを特徴とする、請求項１に記載の装置。
【請求項３】
前記第１電気回路、第２電気回路及び第３電気回路は受動素子、能動素子又は受動素子及び能動素子を混合して構成されることを特徴とする、請求項１に記載の装置。
【請求項４】
前記受動素子及び前記能動素子は、チップ型、パッケージ型及びインターデジタル構造のうちの少なくとも一つの構造から構成されることを特徴とする、請求項３に記載の装置。
【請求項５】
前記第１電気回路は、短絡点とアンテナパターンの一端の間に接続されるキャパシターであり、前記第３電気回路はインターデジタル構造であることを特徴とする、請求項４に記載の装置。
【請求項６】
前記アンテナ装置は、平面逆Ｆアンテナであることを特徴とする、請求項１に記載の装置。
【請求項７】
前記アンテナパターンは金属材質であることを特徴とする、請求項１に記載の装置。
【請求項８】
携帯端末機において、
アンテナパターンと、
前記アンテナパターンの両端とシステムグラウンドの間にそれぞれ接続される第１電気回路及び第２電気回路と、
前記アンテナパターンと給電経路の間に位置される第３電気回路から構成されるアンテナ装置と、
基地局からＲＦパラメーターを受信する通信部と、
基準ＲＦパラメーターを記憶するメモリーと、
前記受信されたＲＦパラメーターと前記基準ＲＦパラメーターを比べて、基準スペックを外れると、基準スペックを満足するまで前記基地局から受信される信号を用いて前記アンテナ装置の対応される電気回路素子値を変更させる制御部から構成され、
前記アンテナパターンの一端はＰＣＢの第１パッドを通じて前記第１電気回路に接続され、
前記アンテナパターンの他端は、ＰＣＢの第２パッドを通じて、前記システムグラウンドと接続されるインダクターから構成される前記第２電気回路、及び、前記給電経路に接続される前記第３電気回路に接続されることを特徴とする装置。
【請求項９】
前記アンテナ装置は、平面逆Ｆアンテナ装置であることを特徴とする、請求項８に記載の装置。
【請求項１０】
前記アンテナパターンは金属材質であることを特徴とする、請求項８に記載の装置。
【請求項１１】
携帯端末機において、
アンテナパターンと、
前記アンテナパターンの両端とシステムグラウンドの間にそれぞれ接続される第１電気回路及び第２電気回路と、
前記アンテナパターンと給電経路の間に位置される第３電気回路から構成されるアンテナ装置と、
基準ＲＦパラメーターを記憶するメモリーと、
前記アンテナ装置で出力されるＲＦパラメーターを測定し、前記測定されたＲＦパラメーターと前記基準ＲＦパラメーターを比べ、
スペックを外れると、前記スペックを満足するまで基地局から受信される信号を用いて前記アンテナ装置の対応される電気回路素子値を変更させる制御部と、から構成され、
前記アンテナパターンの一端はＰＣＢの第１パッドを通じて前記第１電気回路に接続され、
前記アンテナパターンの他端は、ＰＣＢの第２パッドを通じて、前記システムグラウンドと接続されるインダクターから構成される前記第２電気回路、及び、前記給電経路に接続される前記第３電気回路に接続されることを特徴とする装置。
【請求項１２】
前記アンテナ装置は、平面逆Ｆアンテナ装置であることを特徴とする、請求項１１に記載の装置。
【請求項１３】
前記アンテナパターンは金属材質であることを特徴とする、請求項１１に記載の装置。
【請求項１４】
携帯端末機のアンテナの共振周波数の制御方法において、
基地局からＲＦパラメーターを受信する過程と、
前記受信されたＲＦパラメーターとメモリーに記憶している基準ＲＦパラメーターを比較する過程と、
２つの前記ＲＦパラメーターの比較値が基準スペックを外れると、基準スペックを満足するまで前記基地局から受信される信号を用いてアンテナ装置の対応する電気回路素子値を変更させる過程からなり、
前記アンテナ装置はアンテナパターンと、
前記アンテナパターンの両端とシステムグラウンドの間にそれぞれ接続される第１電気回路及び第２電気回路と、
前記アンテナパターンと給電線の間に位置される第３電気回路から構成され、
前記アンテナパターンの一端はＰＣＢの第１パッドを通じて前記第１電気回路に接続され、
前記アンテナパターンの他端は、ＰＣＢの第２パッドを通じて、前記システムグラウンドと接続されるインダクターから構成される前記第２電気回路、及び、前記給電線に接続される前記第３電気回路に接続されることを特徴とする、方法。
【請求項１５】
携帯端末機のアンテナの共振周波数の制御方法において、
アンテナパターンと、
前記アンテナパターンの両端とシステムグラウンドの間にそれぞれ接続される第１電気回路及び第２電気回路と、
前記アンテナパターンと給電線の間に位置される第３電気回路から構成されたアンテナ装置の出力を測定する過程と、
前記測定されたＲＦパラメーターと基準ＲＦパラメーターを比較する過程と、
２つの前記ＲＦパラメーターの比較値が基準スペックを外れると、基準スペックを満足するまで基地局から受信される信号を用いてアンテナ装置の対応する電気回路素子値を変更させる過程と、からなり、
前記アンテナパターンの一端はＰＣＢの第１パッドを通じて前記第１電気回路に接続され、
前記アンテナパターンの他端は、ＰＣＢの第２パッドを通じて、前記システムグラウンドと接続されるインダクターから構成される前記第２電気回路、及び、前記給電線に接続される前記第３電気回路に接続されることを特徴とする、方法。
【発明の詳細な説明】
【技術分野】
【０００１】
本発明は、多様な付加機能をサポートする携帯端末機でｃｉｒｃｕｉｔ ｒｅｓｏｎａｎｃｅ を用いる小型アンテナ技術に関する。
【背景技術】
【０００２】
一般的に、携帯端末機は無線通信機能を実行するために多様な種類の無線通信部を備えている。さらに、前記無線通信部は対応されるアンテナを通じて外部と無線通信機能を実行するようになる。現在、携帯端末機は基地局と無線通信のための通信部(例えば、ＬＴＥ(Ｌｏｎｇ Ｔｅｒｍ Ｅｖｏｌｕｔｉｏｎ)通信部、ＷＣＤＭＡ(Ｗｉｄｅｂａｎｄ Ｃｏｄｅ Ｄｉｖｉｓｉｏｎ Ｍｕｌｔｉｐｌｅ Ａｃｃｅｓｓ：登録商標)通信部等)、インターネット網等と接続するための通信部(例えば、Ｗｉｆｉ通信部、Ｗｉｂｒｏ(Ｗｉｒｅｌｅｓｓ Ｂｒｏａｄｂａｎｄ)通信部、Ｗｉｍａｘ(Ｗｏｒｌｄｗｉｄｅ Ｉｎｔｅｒｏｐｅｒａｂｉｌｉｔｙ ｆｏｒ Ｍｉｃｒｏｗａｖｅ Ａｃｃｅｓｓ)通信部など)、近距離通信のための通信部(例えば、ブルートゥース、ＮＦＣ(Ｎｅａｒ−Ｆｉｅｌｄ Ｃｏｍｍｕｎｉｃａｔｉｏｎ)等)、ＧＰＳ受信部等を備えている。さらに、前記のような通信部は外部とＲＦ(Ｒａｄｉｏ Ｆｒｅｑｕｅｎｃｙ)通信を実行するためのアンテナを備えなければならない。即ち、現在の携帯端末機は外部と無線通信機能を実行するための複数のアンテナを備えなければならない。従って、携帯端末機に複数のアンテナを装着するために、アンテナを小型化することが必須となる。
【０００３】
平面逆Ｆアンテナ(Ｐｌａｎｎｅｒ Ｉｎｖｅｒｔｅｄ Ｆ Ａｎｔｅｎｎａ、以下、ＰＩＦＡという)は小型アンテナの一つである。前記携帯端末機に用いられるＰＩＦＡタイプの場合、使用周波数の１／４波長が必要である。例えば、ＧＰＳ(１. ５７５ＧＨｚ帯域)アンテナの場合、空気中で４.７ｃｍの物理的な長さが必要であり、ＬＴＥ(７００ＭＨｚ帯域)アンテナの場合、１０.７ｃｍの物理的な長さが必要である。従って、複数のアンテナを備えて多様な無線通信機能をサポートすべきである現在携帯端末機において、前記アンテナが占める空間が大きくなる問題点があり、これにより、携帯端末機の大きさを小さく製造することに限界があった。また、前記アンテナの共振はアンテナの物理的長さが決定をするので金型修正など開発進行時のチューニングのために長時間を要するという短所があった。従って、波共鳴の代りにｃｉｒｃｕｉｔ ｒｅｓｏｎａｎｃｅを用いる小型アンテナ技術が必要となっている。
【発明の概要】
【発明が解決しようとする課題】
【０００４】
複数のアンテナを備えて多様な無線通信機能をサポートしなければならない現在携帯端末機において、前記アンテナが占める空間が大きくなる問題点があり、これにより、携帯端末機の大きさを小さく製造することに限界があった。また、前記アンテナの共振はアンテナの物理的長さが決定をするので金型修正など開発進行時のチューニングのために長時間を要するという短所があった。従って、波共鳴の代りにｃｉｒｃｕｉｔ ｒｅｓｏｎａｎｃｅを用いる小型アンテナ技術が必要となっている。
【課題を解決するための手段】
【０００５】
本発明の一態様は、アンテナ装置に電気回路を接続して波共鳴の代わりにｃｉｒｃｕｉｔ ｒｅｓｏｎａｎｃｅを用いる小型アンテナ装置を提供する。ここで前記小型アンテナはＰＣＢ(Ｐｒｉｎｔｅｄ Ｃｉｒｃｕｉｔ Ｂｏａｒｄ)にプリントされるか、またはキャリアのような器具物上に形成された一定パターンの金属構造物であってもよい 。
【０００６】
本発明の他の態様は、ＰＣＢ上に具現された非対称形アンテナパターン又は器具物に付着された非対称形アンテナパターンの両端及び／又は給電経路(ｆｅｅｄｉｎｇ ｌｉｎｅ)にＰＣＢの電気回路(ｌｕｍｐｅｄ ｅｌｅｍｅｎｔ或いはｉｎｔｅｒ−ｄｉｇｉｔａｌ回路など)を接続させて電気的な波長と入力インピーダンスを同時に向上させることができる小型アンテナ装置を提供する。
【０００７】
本発明の実施形態によるアンテナ装置は、アンテナパターンと、前記アンテナパターンの両端とシステムグラウンドの間にそれぞれ接続される第１電気回路及び第２電気回路と、前記アンテナパターンと給電経路の間に位置される第３電気回路から構成され、前記第１電気回路−第２電気回路及び第３電気回路によって前記アンテナパターンの電気的な波長を拡張し、入力インピーダンスマッチングを向上させることを特徴とする。
【０００８】
さらに、本発明の他の実施形態による携帯端末機のアンテナ装置は、アンテナパターンと、前記アンテナパターンの両端とシステムグラウンドの間にそれぞれ接続される第１電気回路及び第２電気回路、前記アンテナパターンと給電経路の間に位置される第３電気回路から構成されるアンテナ装置と、基地局からＲＦパラメーターを受信する通信部と、基準ＲＦパラメーター及び素子変更値を記憶する変更テーブルを備えるメモリーと、前記受信されたＲＦパラメーターと前記基準パラメーターを比べ、基準ＲＦパラメーターを外れると、基準ＲＦパラメーターを満足するまで電気回路素子値を変更させる制御部と、から構成されることを特徴とする。
【０００９】
さらに、本発明の他の実施形態による携帯端末機のアンテナ装置は、アンテナパターンと、前記アンテナパターンの両端とシステムグラウンド間にそれぞれ接続される第１電気回路及び第２電気回路と、前記アンテナパターンと給電経路の間に位置される第３電気回路から構成されるアンテナ装置と、基準ＲＦパラメーター及び素子変更値を記憶する変更テーブルを備えるメモリーと、前記アンテナ装置から出力されるＲＦパラメーターを測定し、前記測定されたＲＦパラメーターと前記基準パラメーターを比べて、基準スペックを外れると、前記２つのＲＦパラメーターの差の値に対応される素子変更値を前記変更テーブルにアクセスして前記アンテナ装置の対応する電気回路素子値を変更させる制御部から構成されることを特徴とする。
【００１０】
さらに、本発明の他の実施形態による携帯端末機のアンテナの共振周波数制御方法は、基地局からＲＦパラメーターを受信する過程と、前記受信されたＲＦパラメーターとメモリーに記憶している基準パラメーターを比べる過程と、前記２つのパラメーターの比較値が基準スペックを外れると、前記２つのＲＦパラメーターの差の値に対応する素子変更値を設定し、アンテナ装置の対応する電気回路素子値を変更させる過程からなり、前記アンテナ装置はアンテナパターンと、前記アンテナパターンの両端とシステムグラウンドの間にそれぞれ接続される第１電気回路及び第２電気回路と、前記アンテナパターンと給電経路の間に位置される第３電気回路から構成されることを特徴とする。
【００１１】
さらに、本発明の実施形態による携帯端末機のアンテナの共振周波数制御方法は、アンテナパターンと、前記アンテナパターンの両端とシステムグラウンドの間にそれぞれ接続される第１電気回路及び第２電気回路と、前記アンテナパターンと給電経路の間に位置される第３電気回路から構成されたアンテナ装置の出力を測定する過程と、前記測定されたＲＦパラメーターとメモリーに記憶している基準パラメーターを比べる過程と、前記２つのパラメーターの比較値が基準スペックを外れると、前記２つのＲＦパラメーターの差の値に対応する素子変更値を設定し、アンテナ装置の対応する電気回路素子値を変更させる過程と、からなることを特徴とする。
【発明の効果】
【００１２】
本発明の実施形態による小型アンテナ装置は、ＰＣＢや器具物にアンテナパターンを備え、ＰＣＢ上の電気回路(能動素子或いは受動素子の組合せ)をアンテナの給電経路とアンテナ両端に接続することによって、アンテナの大きさを小さくして空間を効率的に活用することができ、共振点変更時に接続された電気回路をチューニングするｃｉｒｃｕｉｔ ｒｅｓｏｎａｎｃｅ方式を用いることによってアンテナ共振周波数を効率的に変更することができる。従って、本発明の実施形態によるアンテナ装置はアンテナ実装空間を縮小することができ、これにより多機能化されて多様な無線通信機能を実行する携帯端末機に効率的に適用することができ、また共振点変更時の金型を通じるアンテナ物理長(ｐｈｙｓｉｃａｌ ｌｅｎｇｔｈ)変更方式を使用せず接続された電気回路をチューニングする方式を用いることによってアンテナ開発時間及び開発費用を画期的に減らすことができる利点がある。
【図面の簡単な説明】
【００１３】
【図１】本発明の実施形態による小型アンテナの構造を示した図面で、ＰＣＢ上にプリントされた小型アンテナ構造を示す図面である。
【図２】前記図１のような構成を有する小型アンテナの等価回路構成を示す図面である。
【図３】図１のような構成を有する本発明の実施形態による小型アンテナ装置で共振発生時のアンテナの電流の流れを示す図面である。
【図４】本発明の実施形態による小型アンテナの構造を示す図面で、ＰＣＢ上にプリントされた小型アンテナの他の構造を示す図面である。
【図５】本発明の実施形態による小型アンテナの構造を示す図面で、アンテナが携帯端末機の特定器具物に付着する場合のアンテナ装置構成を示す図面である。
【図６】本発明の実施形態によってアンテナの両端及び給電端に電気回路を接続してアンテナの長さ及び入力インピーダンスをマッチングする小型アンテナ装置の具体的な実施形態を示す図面である。
【図７Ａ】前記図６のような構造を有するアンテナ装置でアンテナ両端に接続される電気回路の変更による共振点の変化特性を示す図面である。
【図７Ｂ】前記図６のような構造を有するアンテナ装置でアンテナ両端に接続される電気回路の変更による共振点の変化特性を示す図面である。
【図８】前記図６のような構造を有するアンテナ装置に給電点に接続される電気回路の変更による反射減衰量の変化特性を示す図面である。
【図９】本発明の実施形態によるアンテナ装置で電気回路を変更する構成を示す図面である。
【図１０】図９のような構成においてアンテナ装置の電気回路を変更する手続きを示す流れ図である。
【図１１】本発明の実施形態による小型アンテナ装置を装着した携帯端末機の構成を示す図面である。
【図１２】本発明の実施形態による携帯端末機でアンテナ装置の共振周波数を変更する手続きを示す流れ図である。
【発明を実施するための形態】
【００１４】
以下、添付された図面を参照して本発明の好ましい実施形態を詳しく説明する。また、以下説明ではアンテナの長さ、大きさ及び周波数等のような具体的な特定事項を示しているが、これは本発明のより全般的な理解を助けるために提供されたものだけであり、このような特定事項無しでも本発明が実施できることはこの技術分野で通常の知識を有する者には自明である。
【００１５】
本発明は多様な無線通信機能(ＬＴＥ、ＧＰＳ、ＢＴ、ＷＩＦＩなど)をサポートする携帯端末機で用いる小型アンテナ装置に関する。本発明の実施形態による小型アンテナ装置はＰＣＢにプリントされたりキャリアのような器具物の上に形成された一定パターン(プリントされ、または、鉄構造物或いは他の適切な及び／又は類似の物質で形成される)の両端及び／又は給電点に電気回路を接続する構造をもって波共鳴の代わりにｃｉｒｃｕｉｔ ｒｅｓｏｎａｎｃｅを用いる。
【００１６】
本発明の実施形態による小型アンテナ装置は携帯端末機のＰＣＢに位置される電気回路(ｌｕｍｐｅｄ ｅｌｅｍｅｎｔ、ｉｎｔｅｒ−ｄｉｇｉｔａｌ回路又は他の類似の／適切な電気回路)をアンテナパターンの両端及び／又は給電経路に用いることによって、電気波長(ｅｌｅｃｔｒｉｃａｌ ｗａｖｅｌｅｎｇｔｈ)と入力インピーダンス(ｉｎｐｕｔ ｉｍｐｅｄａｎｃｅ)を同時に向上させて既存小型化アンテナに比べて約５０％の空間を節約することができる。また前記アンテナパターンに接続される電気回路を通じてアンテナ共振点のチューニングを実行することによって、既存の開発時に発生していた金型修正時間が不必要となり、開発時間を短縮させることができる。さらに、本発明の実施形態による小型アンテナ装置は不必要な共振を発生させる集中素子(ｌｕｍｐｅｄ ｅｌｅｍｅｎｔ)の代わりにインターデジタル回路を通じて給電経路をアンテナパターンに接続することによって入力インピーダンス向上をさせることができ、既存の集中素子が有する許容差(ｔｏｌｅｒａｎｃｅ)を減らすことができる。本発明の実施形態による前記小型アンテナ装置のアンテナパターンはＰＣＢ上に具現された非対称形アンテナパターンや器具物に付着された非対称形アンテナパターンであってもよい。
【００１７】
前述したように本発明の実施形態による小型アンテナ装置はアンテナパターンの両端及び／又は信号が供給される給電経路に電気回路が接続される構造をもって、前記アンテナパターンは ＰＣＢ上に具現されたアンテナパターン又は器具物に付着された金属物のアンテナパターンであってもよい。さらに、前記アンテナパターンは実装の自由度のために給電経路を基準とし、非対称で形成することができる。さらに、前記電気回路は電気的な共振を発生させる受動素子である抵抗(Ｒ)、インダクター(Ｌ)、キャパシター(Ｃ)の組合からなる回路としてもよく、能動素子であるＦＥＴ(Ｆｉｅｌｄ Ｅｆｆｅｃｔ Ｔｒａｎｓｉｓｔｏｒ)、ＢＪＴ(Ｂｉｐｏｌａｒ Ｊｕｎｃｔｉｏｎ Ｔｒａｎｓｉｓｔｏｒ)、ダイオードの組合からなる回路であってもよく、また前記受動と能動素子を混合してなるものであってもよい。さらに、前記電気素子はチップ型或いはパッケージ型であるか、ＰＣＢに具現されたインターデジタル構造に具現されることができる。
【００１８】
図１は、本発明の実施形態による小型アンテナの構造を示した図面で、ＰＣＢ上にプリントされた小型アンテナ構造を示した図面である。
【００１９】
前記図１はグラウンドプレーン(ｇｒｏｕｎｄ ｐｌａｎｅ)がアンテナ装置(図示せず)の構造を示す図面である。
【００２０】
前記図１を参照すれば、前記アンテナ１１０の両端にはそれぞれ電気回路１２０及び１３０が接続され、前記電気回路１２０及び１３０はそれぞれ回路基板(ＰＣＢ)１５０に接続される。
【００２１】
さらに、給電点(ＦＰ、ｆｅｅｄｉｎｇ  ｐｏｉｎｔ)に接続される給電経路(ｆｅｅｄｉｎｇ  ｌｉｎｅ)は電気回路１４０を通じてアンテナ１１０と接続される。ここで、前記電気回路１２０は短絡点(ｓｈｏｒｔｉｎｇ  ｐｏｉｎｔ)に接続される構造を有し、電気回路１３０は放射点(ｒａｄｉａｔｉｏｎ  ｐｏｉｎｔ)に接続される構造を有する。前記のような構成を有する小型アンテナはＰＩＦＡタイプのアンテナであってもよい。
【００２２】
前記ＰＩＦＡ(Ｐｌａｎａｒ  Ｉｎｖｅｒｔｅｄ−Ｆ  Ａｎｔｅｎｎａ)は、小型化が可能であり、携帯端末機などの内部に内装が可能な形態のアンテナで、最近大きく脚光を浴びているアンテナである。前記ＰＩＦＡの構成は前記図１に示したように放射回路基板(ＰＣＢ)１５０、回路基板１５０にプリントされて導体であるアンテナ１１０、電気回路１４０を通じてアンテナ１１０に接続される給電経路、前記アンテナ１１０の両端で回路基板１５０のシステムグラウンド(図示せず)に接続される電気回路１２０及び１３０から構成され、全体形状がＦ字状を有する。前記ＰＩＦＡはカバーすることができる帯域幅を移動通信帯域(３Ｇ、４Ｇ帯域)及び付加通信帯域(ＧＰＳ、ＷｉＦｉ、Ｂｌｕｅｔｏｏｔｈ(登録商標)など)で合わせることができる。
【００２３】
前記のようなＰＩＦＡは回路基板１５０から供給される電流が給電点ＦＰに印加されると、前記電流は給電線を通じてアンテナ１１０へ伝達し、前記アンテナ１１０を通じて及び電気回路を通じて放射される。この時、前記アンテナ装置は給電点で供給される電流によりアンテナ１１０、電気回路１３０及び回路基板１５０のシステムグラウンド、電気回路１２０からなる送信ラインを形成する。さらに、前記のように循環される前記送信ラインにより前記アンテナ１１０、電気回路１２０及び１３０は空気中の電波を受信し、或いは空気中に電波を放射するようになる。
【００２４】
前記のような構成及び作動を実行するＰＩＦＡの主要要素は帯域幅、共振周波数での反射減衰量(Ｒｅｔｕｒｎ  Ｌｏｓｓ)、インピーダンスマッチング効率などになることができる。この時、前記のような構成を有するアンテナ装置の共振周波数はアンテナ１１０の物理的な長さに大きな影響を受け、共振は、アンテナ１１０の長さに基づく特定の周波数で発生する。この時、前記アンテナ１１０の共振はアンテナ１１０の物理的な長さにより決定されるので、共振周波数を変更させようとする場合には前記アンテナ１１０の長さをチューニングして具現することができる。しかし、アンテナ長をチューニングする前記のような方法は、アンテナ１１０の金型をチューニングしなければならない。従って、本発明の実施形態では電気回路１２０及び／又は１３０を可変させてアンテナ１１０の物理的な長さと同じように電気長を増加させて共振周波数を移動させることができるようにする。従って、本発明の実施形態による小型アンテナ装置は電気回路１２０、１３０及び／又は１４０を用いてアンテナ１１０の長さを減らしながら電気長を増加させるので、アンテナ装置をさらに小型化させることができ、さらに、前記電気回路１２０、１３０及び／又は１４０を制御してアンテナ装置の共振周波数を容易に変更させることができる。
【００２５】
これのために、本発明の実施形態によるＰＩＦＡは、ＰＣＢにプリントされた非対称形アンテナパターン１１０の両端に電気回路１２０及び１３０を接続する。この時、前記電気回路１２０及び１３０はアンテナ装置の電気的な波長を増加させて入力インピーダンスを向上させてアンテナ１１０の物理的な長さを減少させる機能を実行し、前記電気回路１２０及び１３０はＰＣＢ１５０上に具現されることができる。また、本発明の実施形態では前記アンテナ１１０と給電経路の間に入力インピーダンスを向上させるための電気回路１４０を挿入する。この時、前記電気回路１２０−１４０はインターデジタル回路、集中素子、チップ素子等としてもよい。即ち、前記電気回路１２０−１４０はインダクター(Ｌ)やキャパシター(Ｃ)或いはインダクター(Ｌ)とキャパシター(Ｃ)の組合から構成された回路であるか、能動素子であるダイオード、ＦＥＴ、ＢＪＴから構成された回路、或いはＲＦ受動と能動素子の組合、或いはインターデジタル回路の組合せから構成されることができる。
【００２６】
前記図１は、ＰＩＦＡの短絡点とアンテナ１１０の間に接続される電気回路１２０はキャパシターを用いており、最大のエネルギーをもってアンテナ１１０の間に接続される電気回路１３０はインダクターを用い、給電点とアンテナ１１０の間にはインターデジタル回路を用いる例を示している。
【００２７】
図２は、前記図１のような構成を有する小型アンテナの等価回路構成を示す図面である。
【００２８】
前記図２を参照すれば、アンテナ装置の共振はアンテナ１１０の物理的な長さに最大の影響を受け、このような前記アンテナ１１０の長さの変更はＬＡ、ＣＡ、ＲＡの変化をもたらして特定周波数で共振が発生するようになる。一般的なＰＩＦＡの物理的な共振長さは１／４波長である。本発明の実施形態では前記のようなアンテナ１１０の給電線に入力マッチングを可変することができる電気回路１４０を接続し、さらにアンテナパターン(ＬＡ、ＣＡ、ＲＡ)１１０の両端にそれぞれ電気回路１２０及び１３０を追加してアンテナ１１０の物理的な長さ変化を補って特定周波数で共振させることができる。ここで前記図２の等価回路(ｅｑｕｉｖａｌｅｎｔ ｃｉｒｃｕｉｔ ｍｏｄｅｌ)は前記電気回路１４０をキャパシターＣｐから構成し、前記電気回路１２０及び１３０をそれぞれキャパシターＣｓ及びインダクターＬｓから構成した例を示している。
【００２９】
前記のような構成を有する小型アンテナ装置で電気回路１４０(ここではキャパシターＣｐ)は給電経路の入力インピーダンスをマッチングする機能を実行する。さらに、アンテナ１１０の両側に位置される電気回路１２０及び１３０(ここではキャパシター Ｃｓ及びインダクターＬｓ)はアンテナ１１０の長さ及びグラウンドサイズを減らすことができ、電気回路１２０はアンテナ１１０の入力インピーダンスをマッチングする機能を実行することができる。従って、 前記のような構成を有する小型アンテナ装置はアンテナ１１０の両端及び給電経路に電気回路１２０−１４０を接続してアンテナ１１０の電気的な波長と入力インピーダンスを同時に向上させることができる。前記図２では前記電気回路１２０及び１３０を可変電気回路を用いる例を示しているが、前記電気回路１２０及び１３０の一つだけを可変電気回路で具現することもできる。
【００３０】
図３は、図１のような構成を有する本発明の実施形態による小型アンテナ装置で共振発生時のアンテナの電流の流れを示す図面である。
【００３１】
前記図３を参照すれば、給電端ＦＰ電流が供給されると、前記電流は給電経路及び電気回路１４０を通じてアンテナ１１０に流入され、前記アンテナ１１０を通じて流れる電流は電気回路１３０に最大のエネルギーを持って放射される。そして、前記アンテナ装置は前記給電点に供給される電流によりアンテナ１１０、電気回路１３０、回路基板１５０のシステムグラウンド、電気回路１２０を循環する送信ラインを形成し、これにより前記電気回路１２０及び１３０及びアンテナ１１０の長さにより決定される共振周波数を発生するようになる。この時、前記図３にも示したようにアンテナ装置のアンテナ１１０の端部で最大エネルギーが放出されることが分かる。
【００３２】
前記図３はアンテナ１００の長さを固定させて前記電気回路１２０及び／又は１３０のチューニングが完了した場合の、電気の流れを示す図面であり、前記電気回路を通じる共振点チューニングが可能であることを示している。従って、本発明の実施形態による小型アンテナ装置はアンテナ１１０の物理的な長さのほかに電気回路(ｌｕｍｐｅｄ ｅｌｅｍｅｎｔなど)を用いて共振周波数を変更させることができ、これによりアンテナ１１０のパターン修正による金型を修正しなくても良いという長所を有する。
【００３３】
図４は、本発明の実施形態による小型アンテナの構造を示す図面で、ＰＣＢ上にプリントされた小型アンテナのまた他の構造を示す図面である。
【００３４】
前記図４はＰＩＦＡの他の構造を示す図面で、前記アンテナ１１０の両端にはそれぞれ電気回路１２０及び１３０が接続され、前記電気回路１２０及び１３０はそれぞれ回路基板(ＰＣＢ)１５０に接続される。そして、給電点(ＦＰ、ｆｅｅｄｉｎｇ ｐｏｉｎｔ)に接続される給電経路は電気回路１４０を通じてアンテナ１１０と接続される。ここで、前記電気回路１２０がインターデジタル回路から構成される以外の残りの構成は前記図１のＰＩＦＡ構造と同じである。一般的に、インターデジタル回路の長所は寄生パラメーターがチップインダクター及びキャパシターより小さく、これにより許容差を低く製作することができる点である。従って、前記インターデジタル回路を用いると、チップ回路を用いる時より同一環境で正確な周波数チューニングが可能であり、寄生パラメーターが少なく、帯域幅が広くできて、値段を節減することができる利点がある。一般的に、アンテナ１１０の短絡点(ｓｈｏｒｔｉｎｇ ｐｏｉｎｔ)は微小な値の変化にも周波数が大きく変化される特性を有する。従って、前記アンテナ１１０の短絡点に接続される電気回路１２０はインターデジタル構造を用いるのが好ましい。
【００３５】
図５は、本発明の実施形態による小型アンテナの構造を示す図面であり、アンテナが携帯端末機の特定器具物に付着する場合のアンテナ装置構成を示す図面である。ここで前記アンテナ１１０は左右対称の形態で示しているが、装置の器具物の空間配置特性によって適切な形態の非対称アンテナから構成することができる。
【００３６】
前記図５を参照すれば、金属導体であるアンテナ１１０が装置(例えば、携帯端末機)の特定器具物に付着し、前記アンテナ１１０の両端がそれぞれパッド５５０及び５５５を通じてＰＣＢに接続される。そして前記パッド５５０に電気回路１２０が接続され、パッド５５５に電気回路１４０及び電気回路１３０が接続される構造を有する。そして前記電気回路１２０及び１３０の他端はそれぞれシステムグラウンドに接続され、前記電気回路１４０の他端は給電点に接続される構造を有する。従って、前記図５のようなアンテナ装置はアンテナ１１０が特定器具物に付着してアンテナ１１０の両端がパッド５５０及び５５５を通じてＰＣＢ上に位置される電気回路１２０−１４０に接続される構造を有する。
【００３７】
前記図５で前記アンテナ１１０は金属材質の導体としてもよく、器具物の空間特性によって適切な形態で製作することができる。即ち、前記アンテナ１００は金属材質として対称又は非対称形態でパターンを構成して装置の器具物の空間特性によって適切な形態で造ることができる。そして前記アンテナ１１０の両端はパッド５５０及び５５５を通じてＰＣＢに接続され、前記ＰＣＢは前記図１及び図４に示されたように前記アンテナの電気長を拡張し、アンテナ１１０の入力インピーダンスをマッチングさせることができる電気回路１２０−１４０を備え、これら電気回路１２０−１４０は前記パッド５５０及び５５５を通じてアンテナ１１０に接続される。従って、前記アンテナ装置はアンテナ１１０が特定器具物に付着し、アンテナ１１０の両側と給電経路が電気回路(ｌｕｍｐｅｄ ｅｌｅｍｅｎｔやインターデジタル回路)１２０−１４０で短絡された回路がＰＣＢに接続されているアンテナ構造を有する。
【００３８】
前記図５のようなアンテナ装置は前記図１のアンテナ装置と同じく作動されることができる。前記図４及び図５のような構成を有するアンテナ装置の等価回路は前記図２のような構成を有する。そして、共振時の電流の流れも図３のような流れを有する。
【００３９】
従って、本発明の実施形態によるアンテナ装置は前記図１、図４及び図５に示したように、アンテナパターンの形状や具現位置(ＰＣＢ上、又はキャリア又は携帯電話ケース等々)による制限は無く、位置による誘電率の差によって発生する共振点の移動などの特性変化は電気回路(ｌｕｍｐｅｄ ｅｌｅｍｅｎｔなど) チューニングで容易に解決することができる。
【００４０】
前記図１、図４及び図５で電気回路１２０は第１電気回路とすることができ、前記電気回路１３０は第２電気回路とすることができ、前記電気回路１４０は第３電気回路とすることができる。また、前記図５でパッド５５０及び５５５はアンテナ１１０とＰＣＢが接続されるパッドとして、前記パッド５５０は第１パッドとすることができ、前記パッド５５５は第２パッドとすることができる。
【００４１】
図６は、本発明の実施形態によってアンテナの両端及び給電端に電気回路を接続してアンテナの長さ及び入力インピーダンスをマッチングする小型アンテナ装置の具体的な実施形態を示す図面である。前記図６は ＰＩＦＡ構造で例示している。
【００４２】
前記図６は、誘電定数(ｄｉｅｌｅｃｔｒｉｃ ｃｏｎｓｔａｎｔ)が４.４であり、厚さが０.８ｍｍであり、大きさが７０ｍｍ＊４０ｍｍであるＰＣＢで、ＰＩＦＡタイプのアンテナを大きさが８ｍｍ＊４.５ｍｍの大きさで具現した例を示している。そして、前記ＰＩＦＡタイプのアンテナは両端に電気回路(集中素子及び／又はインターデジタル構造)が接続される。この時、前記図６のアンテナ装置は電気回路を接続する時、アンテナ１１０の短絡点にキャパシターを接続し、アンテナ１１０の最大エネルギーを有する他方の端にインダクターを接続した例を示している。この場合、インダクタンスとキャパシタンスを増加させると、波共鳴の代りにｃｉｒｃｕｉｔ ｒｅｓｏｎａｎｃｅを用いるようになり共振周波数は低い周波数帯域に移動するようになる。これはインダクタンスとキャパシタンスがアンテナ１１０の作動周波数を可変させることができることを意味し、従って、アンテナ１１０の性能を向上させることができることを示される。
【００４３】
図７Ａ及び図７Ｂは、前記図６のような構造を有するアンテナ装置でアンテナ両端に接続される電気回路の変更による共振点の変化特性を示す図面である。
【００４４】
ここで図７Ａはインダクターの変化によるアンテナの反射減衰量(ｒｅｔｕｒｎ ｌｏｓｓ)の変化特性を示しており、図７Ｂはキャパシターの変化によるアンテナの反射減衰量 (ｒｅｔｕｒｎ ｌｏｓｓ)の変化特性を示している。図７Ａ及び図７Ｂはそれぞれ２.０ｎＨのインダクタンス及び及び０.６ｐＦのキャパシタンスで最適の反射減衰量(ｏｐｔｉｍｕｍ ｒｅｔｕｒｎ ｌｏｓｓ)を獲得することができることを示している。
【００４５】
図８は、前記図６のような構造を有するアンテナ装置の給電点に接続される電気回路の変更による反射減衰量の変化特性を示す図面である。
【００４６】
前記図８を参照すれば、前記給電点の電気回路はインターデジタル構造を用いる例を示している。前記インターデジタル構造はアンテナの作動周波数及び入力インピーダンスに影響を及ぼす。この時、ｍｅａｎｄｅｒ ｌｉｎｅ ｌｅｎｇｔｈ(Ｌ)が増加されると、インターデジタル構造によりインピーダンスも大きくなる。前記図８は、ｍｅａｎｄｅｒ ｌｉｎｅ ｌｅｎｇｔｈ(Ｌ)が０．８ｍｍであるとき、入力ポートのインピーダンスマッチングがよく成り立っていることを示している。
【００４７】
前記図７Ａ−図７Ｂに示されたように、アンテナ１１０のパターンを固定し、前記アンテナ１１０の両端に短絡(ｓｈｏｒｔｉｎｇ)される電気回路１２０及び１３０を接続し、前記電気回路１２０及び１３０の素子値を変化させるとアンテナ１１０の共振点が変化されることが分かる。また、前記図８に示されたように給電経路に接続される電気回路１４０の素子値を変化させると、アンテナ１１０の両端に接続された電気回路１２０及び１４０により調整された共振周波数の反射減衰量を向上させることができることが分かる。
【００４８】
図９は、本発明の実施形態によるアンテナ装置で電気回路を変更する構成を示す図面で、図１０は図９のような構成でアンテナ装置の電気回路を変更する手続きを示す流れ図である。
【００４９】
前記図９及び図１０を参照すれば、測定装置９００はアンテナ装置の各部作動を測定する装置であり、前記アンテナ装置は前記図１、図４又は図５のような構成を有することができる。ここで前記アンテナ装置は図４のような構成を有する場合を示している。
【００５０】
先ず測定装置は工程のキャブレイション(ｃａｌｉｂｒａｔｉｏｎ)や最適周波数チャンネルを探索するためにアンテナ装置の各電気回路１２０−１４０の近接位置の信号のうちの少なくとも一つの信号をフィードバック入力する。この時、前記測定装置９００が信号をフィードバック入力する位置は短絡点(ｓｈｏｒｔｉｎｇ ｐｏｉｎｔ)とアンテナ１１０の間に接続される電気回路１２０に近接されるアンテナ１１０の位置９１１、アンテナ１１０の他端に位置される電気回路１３０に近接されるアンテナ位置９１５及び／又は給電点と電気回路１４０の間の給電経路の位置９１３とすることができる。前記位置９１１−９１５のうちで少なくとも一つの信号をフィードバック入力する測定装置９００は前記フィードバック信号を用いてＴＩＳ(Ｔｏｔａｌ Ｉｓｏｔｒｏｐｉｃ Ｓｅｎｓｉｔｉｖｉｔｙ)、ＴＲＰ(Ｔｏｔａｌ Ｒａｄｉａｔｅｄ Ｐｏｗｅｒ)、ＢＥＲ(Ｂｉｔ−Ｅｒｒｏｒ−Ｒａｔｅ)利得(ｇａｉｎ)、効率等のＲＦパラメーターを測定する。この時、前記測定装置９００は予め設定されたＲＦパラメーターの基準値を記憶しており、前記計算されたＲＦパラメーターと基準値を比べて設定された周波数でなければ(ｓｐｅｃ ｏｕｔ)、前記電気回路１２０−１４０のうちの少なくとも一つの電気回路の素子値を変更して共振周波数を変更させる。
【００５１】
即ち、前記測定装置９００は、１０１１段階で前記位置９１１−９１５のうちで少なくとも一つの位置の信号をフィードバック入力した後、前記フィードバック信号のＲＦパラメーターを測定する。以後、前記測定装置は１０１３段階で前記測定されたＲＦパラメーターと予め設定された基準ＲＦパラメーターを比べる。この時、前記アンテナ装置が設定されたスペックを外れる共振周波数を発生すると(ｓｐｅｃ ｏｕｔ)、前記測定装置９００は１０１３段階でこれを検出し、１０１５段階で前記電気回路１２０−１４０のうちで少なくとも一つの電気回路の素子値を変更し、このような作動は前記アンテナ装置が設定されたスペック内の共振周波数を発生するまで繰り返し実行する。そして前記１０１３段階で前記アンテナ装置が設定されたスペック内の共振周波数を発生すると、前記測定装置９００は前記電気回路１２０−１４０の調整作動を実行せず前記１０１１段階へ戻る。
【００５２】
前記図１、図４又は図５のような構成を有する小型アンテナ装置は携帯端末機に装着されることができる。
【００５３】
図１１は、本発明の実施形態による小型アンテナ装置を装着した携帯端末機の構成を示す図面である。
【００５４】
前記図１１を参照すれば、アンテナ装置１１００は、前記図１、図４又は図５のような構成を有することができる。即ち、前記アンテナ装置１１００はアンテナ１１０のパターン両端及び／又は信号が供給される給電経路にそれぞれ電気回路１２０−１４０が接続される構造を有し、前記アンテナ１１０はＰＣＢ１５０上に具現されたアンテナパターン又は器具物に付着された金属物のアンテナパターンであってもよい。そして前記アンテナ１１０は、実装の自由度のために給電経路を基準として非対称に形成されることができ、前記電気回路１２０−１４０は電気的な共振を発生させる受動素子、能動素子であってもよく、前記電気回路１２０−１４０の電気素子はチップ型、パッケージ型又はＰＣＢに具現されたインターデジタル構造で具現されることができる。
【００５５】
さらに、前記アンテナ装置１１００は、設定された帯域幅の周波数を受信及び送信する機能を実行する。従って、前記アンテナ装置１１００は、基地局と通信するアンテナの場合、ＬＴＥ、ＷＣＤＭＡ(登録商標)又はＧＳＭ(登録商標)などのアンテナであってもよく、インターネット網と通信するためのアンテナの場合にはＷＩＦＩ又はＷＩＢＲＯなどのアンテナであってもよく、さらに、近距離通信用アンテナの場合、ＮＦＣ又はブルートゥースなどのアンテナであってもよい。本発明の実施形態では説明の便宜のために前記アンテナ装置１１００が基地局通信用アンテナの場合で仮定し、このような場合、前記アンテナ装置１１００は基地局通信部１１３０に接続されることができる。しかし、前記アンテナ装置１１００が基地局通信用アンテナではない場合、前記通信部１１３０は基地局通信用アンテナ(図示せず)と接続され、前記アンテナ装置１１００は前記基地局通信部１１３０と接続されない構成を有する。
【００５６】
通信部１１３０は、基地局との無線通信機能を実行する。ここで前記通信部１１３０は送信信号の周波数を上昇変換(ｆｒｅｑｕｅｎｃｙ ｕｐ ｃｏｎｖｅｒｔｅｒ)及び電力増幅する送信部と 、受信信号を低雑音増幅及び周波数を下降変換(ｆｒｅｑｕｅｎｃｙ ｄｏｗｎ ｃｏｎｖｅｒｔｅｒ)する受信部等から構成されることができる。また、前記通信部１２０は変調部及び復調部を備えることができる。ここで変調部は送信信号を変調して送信部に伝達し、復調部は受信部を通じて受信される信号を復調する。この場合、前記変復調部はＬＴＥ、ＷＣＤＭＡ(登録商標)、ＧＳＭ(登録商標) など、任意のタイプに対応することができる。
【００５７】
制御部１１１０は、携帯端末機の全般的な動作を制御し、本発明の実施形態によって基地局から送信されるＲＦパラメーターを確認し、基準ＲＦパラメーターと異なると、前記アンテナ装置１１００の電気回路の素子値を変更する動作を制御する。
【００５８】
メモリー１１２０は端末機の動作プログラム及び本発明の実施形態によるプログラムを記憶するプログラムメモリーと 、端末機の動作のためのテーブル及びプログラム実行中に発生されるデータを記憶するデータメモリーを備えることができる。特に、前記メモリー１１２０は本発明の実施形態による基準ＲＦパラメーター及び前記アンテナ装置１１００の電気回路素子値を変更するための制御データを記憶する変更テーブルを備えることができる。
【００５９】
また、前記制御部１１１０がノイズや一定パターンがない無線チャンネルの特性上、基準値であるスペックに満足するまで素子値を少しずつ変化するアクティブ形態で制御することもできる。この場合、前記メモリー１１２０は変更テーブルを備えない。即ち、前記制御部１１１０は前記アンテナ装置１１００の電気回路の素子値を変更するとき、前記メモリー１１２０の素子値の変更テーブルを用いることができ、さらに、前記素子値変更テーブルを備えず前記素子値を少しずつ変化させてスペックを満足するときの値をサーチする方法を用いることもできる。
【００６０】
表示部１１５０は前記制御部１１１０の制御の下でプログラム実行中に発生されるデータ及びイメージなどを表示するＬＣＤ又はＯＬＥＤパネルであってもよい。入力部１１４０はタッチパネルとして、ユーザのタッチ入力を検出して前記制御部１１１０へ伝逹する。ここで前記入力部１１４０及び表示部１１５０は一体型のタッチスクリーンであってもよい。しかし、本発明はここに限定されず、前記入力部１１４０はタッチパネル、或いは他の類似の及び／又は適切な入力装置であってもよい。
【００６１】
前記のような構成を有する携帯端末機は基地局からＲＦパラメーターを受信してアンテナ装置１１００の電気回路１２０−１４０のうちの少なくとも一つの電気回路の素子値を変更して共振周波数を調整することができる。即ち、工程でキャリブレーションされて携帯端末機に実装された場合、外部及び内部環境により前記アンテナ装置の周波数共振値を変更することができる。この場合、本発明の実施形態による前記アンテナ装置１１００は内部の電気回路１２０−１４０の素子値を変更して望む共振周波数を発生するように制御することができる。この時、前記携帯端末機は基地局から受信される信号を用いて前記アンテナ装置１１００の共振周波数を変更することができ、さらに端末機自体的にアンテナ装置１１００の出力を測定してアンテナ装置１１００の共振周波数を変更することができる。
【００６２】
この時、前記前者の方法は、携帯端末機が最適の周波数チャンネルをサーチするためにアンテナの周波数を変更するように、基地局が前記携帯端末機から送信される信号からＴＩＳ／ＴＲＰ、ＢＥＲ、Ｇａｉｎ、効率等のようなＲＦパラメーターを測定して携帯端末機に送信する。そして前記携帯端末機は前記メモリー１１２０に記憶された基準ＲＦパラメーターと前記受信されるＲＦパラメーターを比べて必要な場合、前記アンテナ装置１１００の電気回路を変更してアンテナ装置１１００の共振周波数を変更する。そして、前記後者の方法は携帯端末機の制御部１１１０が前記図９のように前記アンテナ装置１１００の各位置９１１−９１５でフィードバック信号を測定してＲＦパラメーターを求め、前記ＲＦパラメーターを記憶している基準ＲＦパラメーターと比べてアンテナ装置１１００の電気回路を変更することができる。
【００６３】
図１２は、本発明の実施形態による携帯端末機でアンテナ装置の共振周波数を変更する手続きを示す流れ図である。前記図１２は基地局からＲＦパラメーターを受信してアンテナ装置１１００の共振特性を変更する例を示している。
【００６４】
前記図１２を参照すれば、基地局からＲＦパラメーターが受信されると、前記制御部１１１０は１２１１段階でこれを検出し、１２１３段階で前記メモリー１１２０に記憶している基準ＲＦパラメーターと前記受信されたＲＦパラメーターを比べる。この時、前記受信されたＲＦパラメーターが設定基準パラメーターの範囲を外れると、即ちスペック範囲を外れると(ｓｐｅｃ ｏｕｔ)、前記制御部１１１０は１２１３段階でこれを検出し、１２１５段階で前記メモリー１１２０の変更テーブルで前記対応される変更データにアクセスした後、１２１７段階で前記アンテナ装置１１００の電気回路１２０−１４０のうちで対応される電気回路の素子値を変更する。すると、前記アンテナ装置１１００は素子値が変更された電気回路により設定された帯域の周波数で共振するようになる。
【００６５】
この時、前記アンテナ１１００の電気回路の素子値変更は前記電気回路１２０−１４０、又は電気回路１２０−１４０のうちの２個、又は電気回路１２０−１４０のうちのいずれか一つで予め設定することができる。そして前記メモリー１１２０の変更テーブルは前記基準ＲＦパラメーターと受信されたＲＦパラメーターの差によってそれぞれ対応される設定された電気回路の素子変更値を記憶することができる。従って、前記制御部１１１０は前記１２１５段階で電気回路１２０−１４０の素子値を変更する時に前記基準パラメーターと受信されたＲＦパラメーターの差の値を計算し、前記計算された差の値に対応される変更テーブルの電気回路素子値をアクセスして前記アンテナ装置１１００の対応される電気回路の素子値を変更させれば良い。
【００６６】
また、前述したように前記メモリー１１２０が素子値変更テーブルを具備しないこともある。この場合、前記制御部１１１０は前記２つのパラメーターの比較値が基準スペックを外れると、前記アンテナ装置１１００の電気回路素子値を変更し、この時基準ＲＦパラメーターのスペックを満足するまでアンテナ装置の対応される電気回路素子値を変更させる過程を実行することができる。即ち、前記制御部１１１０は変更値を予め決定して受動的に設定する方法を用いることができ 、またノイズや一定パターンがない無線チャンネルの特性上の基準値であるスペックに満足するまで素子値を少しずつ変化するアクティブ形態も可能である。即ち、素子値変更テーブルがあれば良く、無くでも少しずつ変化させてスペックを満足する時の値をサーチする方法を用いることもできる。
【００６７】
前記図１２は、基地局からＲＦパラメーターを受信する場合の動作手続きを示している。しかし、前記制御部１１１０が前記図９のような方法でアンテナ装置１１０の出力をフィードバック入力してＲＦパラメーターを測定することができる。この場合、前記制御部１１１０は前記図１２の１２１１段階で前記アンテナ装置１１００の出力をフィードバック入力してＲＦパラメーターを測定し、１２１３段階で記憶している基準ＲＦパラメーターと比べた後、以後の段階を実行することもできる。
【００６８】
本明細書及び図面に開示された本発明の実施形態は本発明の技術内容を容易に説明して本発明の理解を助けるために特定例を提示したものであって、本発明の範囲を限定しようとするものではない。ここに開示された実施形態以外にも本発明の技術的思想に基づいて他の変形例が実施可能であるということは本発明が属する技術分野で通常の知識を有する者に自明なものである。
【符号の説明】
【００６９】
１１０  アンテナ
１２０  電気回路
１３０  電気回路
１４０  電気回路
１５０  回路基板
５５０  パッド
５５５  パッド
９００  測定装置
１１００  アンテナ装置
１１１０  制御部
１１２０  メモリー
１１３０  通信部
１１４０  入力部
１１５０  表示部
【図１】
0006452445.tif 000002
【図２】
0006452445.tif 000003
【図３】
0006452445.tif 000004
【図４】
0006452445.tif 000005
【図５】
0006452445.tif 000006
【図６】
0006452445.tif 000007
【図７ａ】
0006452445.tif 000008
【図７ｂ】
0006452445.tif 000009
【図８】
0006452445.tif 000010
【図９】
0006452445.tif 000011
【図１０】
0006452445.tif 000012
【図１１】
0006452445.tif 000013
【図１２】
0006452445.tif 000014